(57)【要約】【課題】遊技領域内におけるスペース効率を向上させることができ、遊技領域における球の流下方向や流入開口への流入確率（入球率）の調整を容易とし、流下方向や入球率に対する設計意図を反映させ易い遊技機用の入球具等を提供すること。【解決手段】この遊技機用の入球具は、遊技領域を流下する球を流入させるための流入開口と、流入開口を進退し、球を受ける受け面を有する受け面部材と、受け面部材を進退移動させる駆動手段と、を有し、駆動手段が、受け面部材を平行スライド移動させることにより進退させ、進出時において受け面により球を受けてその球を流入開口から流入可能とすると共に、退避時において受け面と流入開口の開口縁との距離を球の直径未満としてその球を流入開口から流入不可とし、受け面が、球を流入開口へと導くように傾斜しており、かつ、受け面の先端部が、前後方向に傾斜している。【選択図】図３
2011104410.tif 000002
【特許請求の範囲】
【請求項１】
遊技領域を流下する球を流入させるための流入開口と、
該流入開口を進退し、前記球を受ける受け面を有する受け面部材と、
該受け面部材を進退移動させる駆動手段と、を有し、
前記駆動手段が、前記受け面部材を平行スライド移動させることにより進退させ、
進出時において受け面により前記球を受けてその球を前記流入開口から流入可能とすると共に、退避時において前記受け面と前記流入開口の開口縁との距離を前記球の直径未満としてその球を前記流入開口から流入不可とし、
前記受け面が、前記球を前記流入開口へと導くように傾斜しており、かつ、前記受け面の先端部が、前後方向に傾斜している、遊技機用の入球具。
【請求項２】
請求項１に記載の遊技機用の入球具と、
前記遊技領域をその表面に画定する遊技盤と、
該遊技盤を遊技者にとって視認可能となるように保持する枠体と、
前記遊技盤に対してその前方に一定距離以上離間して配置された前面透明板と、
前記遊技領域に向けて前記球を発射する発射ユニットと、
前記球を貯留する貯留皿と、を有する遊技機。
【発明の詳細な説明】
【技術分野】
【０００１】
本発明は、遊技機用の入球具及び遊技機に係り、特に、省スペースで入球率の調整を容易とすることのできる遊技機用の入球具等に関する。
【背景技術】
【０００２】
パチンコ機等の遊技機においては、弾球された球が遊技領域（遊技盤面上又はその近傍に形成された領域であって、球の流下による遊技や演出を実現するための領域。）を流下して、その流下の過程で球が遊技領域内の障害釘（ゲージともいう。）や羽根車に衝突しつつ転回して流下方向が変化する。その結果、遊技領域上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
このパチンコ機の遊技領域に配置される入賞口には、例えば普通入賞口、始動入賞口、大入賞口等の様々なものがある。そのうち、始動入賞口や大入賞口は、球の入賞が容易（又は、可能。）な状態と困難（又は、不可能。）な状態とに変更可能な開閉部材を有する変動入賞役物によって構成されることがある。
【０００４】
例えば、始動入賞口を構成する役物としてよく用いられる変動入賞役物（いわゆる電動チューリップ。）は、入賞口上方の左右両側に揺動開閉可能な開閉羽根部材が配置され、その開閉羽根の開閉により入賞容易／入賞困難の状態を作り出している。また、大入賞口を構成する役物としてよく用いられる変動入賞役物（いわゆるアタッカー。）は、入賞口の前方に前後開閉可能な開閉扉部材が配置され、その扉の開閉により入賞容易／入賞困難の状態を作り出している。
【０００５】
このように、常に球を入賞可能な状態とするのでなく、遊技の状況に応じて入賞の確率（又は、可否。）を変化させることによって、パチンコ機における遊技の興趣を一層増大させることができるのである。なお、このように、球の入賞確率を変化させた変動入賞役物については、例えば特許文献１，２に開示されている。
【先行技術文献】
【特許文献】
【０００６】
【特許文献１】特開２００７−１４４２２２号公報
【特許文献２】特開２００７−２４４６１７号公報
【発明の概要】
【発明が解決しようとする課題】
【０００７】
しかしながら、上記のような開閉羽根部材による開閉を行う変動入賞役物や開閉扉部材による開閉を行う変動入賞役物は、開閉部材が比較的大きくまたその動作も大きいため、遊技領域内において必要な面積も大きくなってしまうという問題がある。特に近年では、遊技領域内の略中央に配置される図柄表示装置の大型化が進んでいるので、変動入賞役物等の他の役物においては小型化が要求されている。
【０００８】
更に、開閉羽根部材や開閉扉部材は、その閉鎖動作において球を入賞させる方向に羽根部材や扉部材が傾きながら閉じていくので、閉鎖途中に入賞しかかった球が、そのまま開閉羽根部材や開閉扉部材によって入賞口へと押し込まれてしまって入賞してしまうという問題がある。本来入賞すべきでない球が、開閉部材の閉鎖動作の途中で入賞してしまうと、入賞率が設計値から外れてしまってパチンコホールが不利益を受けてしまう場合がある。なお、上記のように、開閉部材の閉鎖途中に意図せず入球口に入球した球又はそのような入球を総称して「不測の入球」と呼ぶこととする。
【０００９】
本発明は、上記の事情に鑑みて為されたもので、遊技領域内におけるスペース効率を向上させることができ、遊技領域における球の流下方向や流入開口への流入確率（入球率）の調整を容易とし、流下方向や入球率に対する設計意図を反映させ易い遊技機用の入球具等を提供することを例示的課題とする。
【課題を解決するための手段】
【００１０】
上記の課題を解決するために、本発明の例示的側面としての遊技機用の入球具は、遊技領域を流下する球を流入させるための流入開口と、流入開口を進退しかつ球を受ける受け面を有する受け面部材と、受け面部材を進退移動させる駆動手段と、を有し、進出時において受け面により球を受けてその球を流入開口から流入可能とすると共に、退避時において受け面と流入開口の開口縁との距離を球の直径未満としてその球を流入開口から流入不可とすることを特徴とする。
【００１１】
遊技領域を流下する球を受け面で受ける受け面部材が流入開口を前後方向に進退することにより、球を流入開口に流入可能としたり流入不可としたりするので、比較的小面積で入球率（入球許容／入球阻止）の変更を実現することができ、遊技領域内のスペース効率の向上に寄与することができる。また、退避移動の途中で受け面に受け止められた球を入球させずに遊技領域に残し、そのまま遊技領域を流下させることができる。したがって、このような不測の入球を有効に防止することができる。
【００１２】
また、退避時において受け面と流入開口の開口縁との距離を球の直径未満としているので、受け面部材の退避時には、確実に球の流入を阻止することができる。流入開口は、受け面部材の進出時に球が流入することのできる寸法とされている。しかし、受け面部材の退避時には開口縁と受け面部材との位置関係を利用することにより開口寸法を狭めて、確実な入球阻止を実現している。球の流入を阻止するために別途の部材を用いることなく開口縁を利用して入球阻止を実現しているので、部品点数の削減に寄与している。
【００１３】
なお、ここにおいて遊技機とは、遊技媒体として球を用いてその流下による遊技を実現するものをいい、パロット機等を含むが、典型的にはパチンコ機を意味する。そして、この入球具は、パチンコ機において、普通入賞具、始動入賞具等として利用される。
【００１４】
その遊技機用の入球具において、駆動手段が、受け面部材を平行スライド移動させることにより進退させてもよい。
【００１５】
平行スライド移動により受け面部材の進退を実現するので、その動作を単純な直線動作（一次元的動作）とすることができる。したがって、駆動手段を簡単な構造とすることができ、低コスト、小型化に寄与することができる上に、動作の信頼性向上をも図ることができる。
【００１６】
直線動作により受け面部材が進退移動するので、退避移動の途中に受け面に受けられた球には流入開口側へ押し込むような力が働かない。そのまま直線的に受け面部材が退避することにより、その球が遊技領域内に取り残されて流下することとなる。したがって、退避移動の途中における不測の入球を防止することができ、この入球具における入球率が調整し易くなる。設計意図に従った入球率を容易に実現することができる。
【００１７】
受け面が、球を流入開口へと導くように傾斜していてもよい。
【００１８】
受け面が傾斜しているので、受け面で受け取った球がスムーズに流入開口へと導かれる。進出時において受け面で球を受けたにも拘らず流入開口へと流入させることができない、いわゆる取りこぼしの球を減少させることができるので、受け面部材の進出時には受けた球を確実に流入開口へと導き、退避時には球の流入を確実に阻止することができる。その結果、流入開口への入球率の把握を容易とすることができる。
【００１９】
本発明の他の例示的側面としての遊技機は、上記の遊技機用の入球具と、遊技領域をその表面に画定する遊技盤と、遊技盤を遊技者にとって視認可能となるように保持する枠体と、遊技盤に対してその前方に一定距離以上離間して配置された前面透明板と、遊技領域に向けて球を発射する発射ユニットと、球を貯留する貯留皿と、を有することを特徴とする。
【００２０】
この遊技機は、上記の入球具を有しているので、比較的小面積で入球確率の変更を実現することができる。したがって、遊技領域内のスペース効率の向上に寄与することができ、図柄表示装置等の遊技領域内に配置される他の装置の大型化や配置に自由度を高めることができる。遊技領域を流下する球の入球具への入球率の調整を容易とすることができ、不測の入球を防止して、設計意図を充分に反映させた遊技機とすることができる。ここで、遊技盤の表面は、前面（遊技者に対向する側の面）のみならず、後面（前面に対する裏面）をも概念として含む。
【００２１】
その遊技機が、遊技領域に設けられて球が入球可能な第１始動口を備えた第１始動入賞具と、第１始動口への入球に基き第１の遊技を実行する第１遊技手段と、流入開口への入球に基き第２の遊技を実行する第２遊技手段とを備え、第１始動入賞具と遊技機用の入球具とが遊技領域の正面視において左右方向同側に配置されていてもよい。
【００２２】
第１始動入賞具と上記の入球具とが遊技領域の正面視において左右方向同側に配置されているので、遊技者は、いわゆる右打ち・左打ちに打ち分ける必要なく、左右同側に球発射を続けることにより第１の遊技の発生も第２の遊技の発生も狙うことができる。この場合において、左右同側に第１始動入賞具と上記の入球具とが配置されているが、上記の入球具においては、受け面部材の前後進退移動によって、不測の入球が防止されている。したがって、遊技者が第１の遊技の発生を狙っている最中に、意図せず第２の遊技が発生してしまうのを防止することができる。
【００２３】
ここにおいて、第１遊技手段とは、第１の特別遊技としての図柄変動大当たり（後述）を実行するための手段を意味し、より具体的に例示すれば、第１始動口への入球に起因して第１抽選を行う第１抽選手段、その抽選結果の呈示を実行する抽選結果呈示手段、抽選結果に応じて第１大入賞口の開閉制御を実行する動作制御手段等を含む概念である。第２遊技手段とは、第２の特別遊技としての役物大当たり（後述）を実行するための手段を意味し、より具体的に例示すれば、流入開口への入球に基づき第２大入賞口の開閉制御を実行する動作制御手段を含む概念であるが、これらについての詳細は後述する。
【００２４】
なお、第１の遊技（１種大当たり又は図柄変動大当たりともいう。）と第２の遊技（２種大当たり又は役物大当たりともいう。）とを実現可能な遊技機として、例えば、後述する１種２種タイプのパチンコ機が概念できる。このような、１種２種タイプのパチンコ機に本発明を適用することにより、例えば、右側領域及び右打ち遊技を廃することができる。遊技領域のうち左側領域のみを用いて、意図しない２種大当たりを防止しつつ１種２種遊技を実現することができる。
【００２５】
本発明の更なる目的又はその他の特徴は、以下添付図面を参照して説明される好ましい実施の形態によって明らかにされるであろう。
【発明の効果】
【００２６】
本発明によれば、受け面部材の進退移動により入球確率の変更を実現しているので、遊技領域内における省スペース化に貢献することができ、進退部材の退避移動中における不測の入球を防止することができる。また、入球阻止のための別途部品を使用せず、少ない部品点数で、入球確率変更を実現することができる。
【図面の簡単な説明】
【００２７】
【図１】本発明の実施の形態に係るパチンコ機の正面図である。
【図２】図１に示すパチンコ機が有する第２始動入賞具の外観斜視図である。
【図３】図２に示す第２始動入賞具の前板を外した状態での外観斜視図である。
【図４】図３に示す下ベロ部材の進出状態及び退避状態における第２始動口との位置関係を説明するための側方断面模式図であって、（ａ）は下ベロ部材の進出状態を示し、（ｂ）は下ベロ部材の退避状態を示す。
【図５】本発明の変形例１に係る第２始動入賞具の側方断面模式図であって、（ａ）は下ベロ部材の進出状態を示し、（ｂ）は下ベロ部材の退避状態を示す。
【図６】本発明の変形例１に係る第２始動入賞具の他の例を示す側方断面模式図であって、（ａ）は下ベロ部材の進出状態を示し、（ｂ）は下ベロ部材の退避状態を示す。
【図７】本発明の変形例２に係る第２始動入賞具の側方断面模式図であって、（ａ）は下ベロ部材の進出状態を示し、（ｂ）は下ベロ部材の退避状態を示す。
【図８】本発明の変形例２に係る第２始動入賞具の側方断面模式図であって、（ａ）は下ベロ部材の進出状態を示し、（ｂ）は下ベロ部材の退避状態を示す。
【実施するための形態】
【００２８】
以下、本発明の実施の形態について図面を用いて説明する。図１は、本発明の実施の形態に係る遊技機としてのパチンコ機２の正面図である。このパチンコ機２は、枠体３、遊技盤ユニット５、前面ガラス（前面透明板）１０、装飾枠（前面枠）１２、発射ユニット（不図示）、貯留皿１４を有している。
【００２９】
なお、遊技機は、パチンコ機２の他にパロット機、アーケードマシン、各種ゲーム機、その他の球の流下による遊技を実現する遊技機を概念することができる。パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）とハネモノ遊技（２種遊技、役物遊技ともいう。）の両方の遊技を実現するいわゆる１種２種タイプのパチンコ機について例示説明する。なお、図柄変動遊技及び役物遊技については後述する。
【００３０】
パチンコ機２の枠体３は、後述する遊技盤ユニット５を内側に保持し、装飾枠１２と協働してこのパチンコ機２の周囲及び前方又はそれらに加えて後方を囲むように構成される。枠体３の内部には、遊技盤６の他にも各種電子基板や遊技媒体用の経路等各種機構部品が配置され、枠体３及び装飾枠１２によって周囲側方及び前方又はそれらに加えて後方からのパチンコ機２内部への不正アクセスが防止されるようになっている。
【００３１】
枠体３は、例えば、最外郭に配置されてパチンコホールの遊技機設置島に取り付けられる筐体枠４、その筐体枠４に対して前後揺動可能に軸支され遊技盤ユニット５を保持する機枠９とを有して構成される。そして、その機枠９の前方には、前面ガラス１０とその周囲を装飾する装飾部材３２とを保持する装飾枠１２が配置される。なお、前面ガラス１０は、枠体３内部に保持された遊技盤６を前方から遊技者が視認することができるようにするための透明部材であるが、詳細は後述する。
【００３２】
遊技盤ユニット５は、遊技盤６とその遊技盤６の略中央に配置されたセンター役物７とを有して構成されている。その遊技盤６は、遊技盤面６ａ（表面）に球（パチンコ球）２３の流下による遊技を実現するための遊技領域６ｂを画定するための盤状部材であり、遊技盤面６ａを前方から遊技者にとって視認可能となるように枠体３（本実施の形態においては、枠体３の一部としての機枠９。）に保持されている。遊技盤面６ａには、略円形状に周囲を囲むようにレール飾り２６が取り付けられており、レール飾り２６の内周面（内側面）２６ａが遊技盤面６ａに対して立設するように配置されている。そして、その内側面２６ａによって画定され、内側面２６ａに面した略円形状の領域が遊技領域６ｂとなっている。
【００３３】
遊技領域６ｂには、ゲージ（障害釘）２７が配置されている。このゲージ２７は、遊技領域６ｂを流下する球２３と衝突してその流下方向を変更させるものであり、遊技領域６ｂ内に多数配置されている。また、遊技領域６ｂには、普通入賞口２８、第１始動口２９、第２始動口（図２参照）１６を備えた第２始動入賞具（遊技機用の入球具）１３、第１大入賞口３１、第２大入賞口８ａ、通過ゲート（通過領域）３３、風車３４等が配置されており、流下する球２３が各入賞口や始動口に流入したり、通過ゲート３３を通過したり、風車３４を回転させたりすることによって、球２３による流下遊技を楽しむことができるようになっている。
【００３４】
センター役物７は、遊技盤面６ａの略中央に配置されて図柄変動遊技や役物遊技を実現するものであり、主として第１の遊技における図柄表示を行う図柄表示装置７ａ及び主として役物遊技を実現するセンター飾り８を有している。
【００３５】
図柄表示装置７ａは、例えば、液晶表示装置・有機ＥＬディスプレイ・ＬＥＤ等により構成されて遊技者が遊技盤面６ａ側から視認可能となるように配置され、その表示画面（映像表示面）７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００３６】
図示しない球発射ユニットにより球２３が発射されると、球２３はレール飾り２６の内側面２６ａに沿いつつ進行して遊技領域６ｂ内の上部に至る。その後、球２３はゲージ２７に衝突しつつ遊技領域６ｂ内を下方に流下し、あるものは普通入賞口に入賞して一定数の景品球払出しの契機となり、あるものはいずれの入賞口にも流入せずに遊技領域６ｂ内最下部に位置するアウト口３０に流入してパチンコ機２の外部へと排出される。
【００３７】
図柄変動遊技中に球２３が第１始動口に流入すると、その流入に起因して第１の遊技発生のための第１抽選手段（第１遊技手段の一部）による第１抽選が開始される。それと共に、図柄表示装置７ａの表示図柄７ｃが回転表示を開始する。第１抽選の結果が当たりであれば、表示図柄７ｃが所定の図柄（例えば、「７・７・７」。）で停止表示し、図柄変動遊技における大当たり（第１の遊技。以下、図柄変動大当たりという。）が発生する。そして、第１大入賞口３１が開放して多量の入賞球を受け入れ、多量の景品球が貯留皿１４へと払い出されるようになっている。
【００３８】
センター飾り８は、図柄表示装置７ａの表示画面７ｂの周囲であって遊技盤面６ａ上に配置された樹脂製の造形体である。センター飾り８は、例えば表示画面７ｂの周囲を囲み、表示画面７ｂが遊技者に視認可能となるように配置されている。センター飾り８には、模様や色彩が付され、また、キャラクター等の造形が施されており、装飾的な演出効果を発揮するようになっている。
【００３９】
また、センター飾り８の一部には、球２３の流入可能な状態と流入不可能な状態とに状態変更可能（開閉可能）な第２大入賞口８ａが配置されている。この第２大入賞口８ａは役物遊技中において大当たり（第２の遊技。以下、役物大当たりという。）発生時に所定時間開放され、その開放時には球２３がセンター飾り８の内部へと流入可能とされている。一方、第２大入賞口８ａの閉鎖時にはセンター飾り８の内部への球２３の流入はできないようになっている。
【００４０】
センター飾り８の中央部に配置された図柄表示装置７ａは、奥行き方向において遊技盤面６ａよりもやや奥まって配置されている。その図柄表示装置７ａの前方部分には第２大入賞口８ａから流入した球２３を一定確率で入賞させることのできるＶ入賞口３５が配置されている。そのＶ入賞口３５に球２３が流入すると、第１大入賞口３１が開放して多量の入賞球を受け入れ、役物大当たり遊技を継続的に楽しむことができるようになっている。
【００４１】
センター飾り８は、この遊技盤面６ａの略中央やや右寄りに位置しており、遊技盤面６ａの正面視右側領域にはセンター飾り８の上部及び側部付近とレール飾り２６の内側面２６ａとによって球通路８ｂが形成されている。この球通路８ｂは球２３が１個宛通過することのできる通路寸法とされており、球通路８ｂを通過した球２３は、遊技領域６ｂの右下方近傍に至ってアウト口３０へと流入するようになっている。この球通路８ｂ部分以外の遊技領域６ｂは、遊技盤面６ａの左側から下方部分にかけて構成されている。
【００４２】
発射ユニットによって発射された球２３は、左側の遊技領域６ｂを流下しつつ例えば通過ゲート３３を通過する。その通過ゲート３３の通過に起因して第２抽選手段による抽選が行われ、その抽選結果が当たりの場合に、第２始動入賞具１３が備える第２始動口１６が一定時間開放する。第２始動口１６は、閉鎖状態では球２３の流入が不可能とされているが、その開放中に球２３が第２始動口１６に流入すると、それに起因して役物大当たり遊技が発生し、第２大入賞口８ａが所定時間開放する。その開放時間中に、後続の球２３が第２大入賞口８ａ内に流入し、Ｖ入賞口３５に入賞すれば、第１大入賞口３１の開放により役物大当たり遊技の継続を楽しむことができるようになっている。
【００４３】
なお、ここにおいて、第２始動口１６の開放状態とは、後述する下ベロ部材（受け面部材）１７（図２参照）が進出した状態であって、第２始動口１６が球２３を流入可能な状態をいう。また、第２始動口１６の閉鎖状態とは、下ベロ部材１７が退避した状態であって、第２始動口１６が球２３を流入不可能な状態をいう。
【００４４】
以下、この第２始動口１６を備える第２始動入賞具１３の構成について詳細に説明する。
【００４５】
図２は、このパチンコ機２が有する第２始動入賞具１３の外観斜視図である。この第２始動入賞具１３は、ベースプレート１１、下ベロ部材１７、ソレノイド（駆動手段）１８、収納部１９、前板２０を有している。なお、図３は、第２始動入賞具１３の前板２０を外した状態での外観斜視図である。
【００４６】
ベースプレート１１は、この第２始動入賞具１３を遊技盤面６ａに取り付けるための取付けプレートである。このベースプレート１１には、下ベロ部材１７の進出時において球２３を流入させるための第２始動口１６が開口形成されている。第２始動口１６は、略長方形状に開口形成されており、その縦寸法Ｈ及び横寸法Ｗは、それぞれ球２３の直径寸法Ｄ（図４参照）よりも大きい寸法とされている。
【００４７】
下ベロ部材１７は、第２始動口１６内を前方向（図３中矢印Ｚ方向）及び後方向（−Ｚ方向）に進退移動する板状部材である。下ベロ部材１７は上面側に受け面１７ａを有しており、遊技領域６ｂを流下する球２３を進出状態において受け取って第２始動口１６内へと流入させるようになっている。
【００４８】
図４は、この下ベロ部材１７の進出状態及び退避状態における第２始動口１６との位置関係を説明するための側方断面模式図であって、（ａ）は下ベロ部材１７の進出状態を示し、（ｂ）は下ベロ部材１７の退避状態を示す。図４（ａ）に示す下ベロ部材１７の進出状態において、受け面１７ａと第２始動口１６の上縁（開口縁）１６ａとの距離Ｌは球２３の直径寸法Ｄよりも大きくなるように設定されている。したがって、受け面１７ａで受け止められた球２３は、第２始動口１６から流入することができる。なお、受け面１７ａは、球２３を第２始動口１６へと導くように、後方に向けて下がり傾斜している。したがって、受け面１７ａで受け止められた球２３は、素早くかつ円滑に第２始動口１６へと流入する。
【００４９】
一方、図４（ｂ）に示す下ベロ部材１７の退避状態において、受け面１７ａと第２始動口１６の上縁１６ａとの距離Ｌは、球２３の直径寸法Ｄよりも小さくなるように設定されている。したがって、この下ベロ部材１７の退避状態においては、遊技領域６ｂを流下する球２３がゲージ２７等に衝突して第２始動口１６に向かってきたとしても、第２始動口１６への流入は確実に阻止される。
【００５０】
例えば、下ベロ部材１７に対向配置されて下ベロ部材１７と連動する上ベロ部材（不図示）と協働して第２始動口１６への流入阻止を実現するのでなく、第２始動口１６の上縁１６ａを利用して第２始動口１６への流入阻止を実現しているので、流入阻止のために別途の部材を用いておらず、部品点数やコストの低減、構造の簡単化に寄与している。
【００５１】
下ベロ部材１７を直線的に（本実施の形態においては、前後に。）進退移動させるだけで、球２３の第２始動口１６への流入の可否を変更することができるので、移動構造を簡単な構造にすることができる。そして、受け面１７ａ上に球２３が載った場合においても、下ベロ部材１７の退避移動に起因して、第２始動口１６へと押し入れるような外力を作用させない。したがって、例えば、下ベロ部材１７の退避途中に意図しない球２３を第２始動口１６内に流入させてしまったりする「不測の入球」を防止することができる。
【００５２】
なお、下ベロ部材１７の受け面１７ａの先端部分（先端面）１７ｂが、左右方向に下がり傾斜とされていて、受け取った球２３を左右に振り分けて流下させるようになっていてもよい（図３参照）。それにより、下ベロ部材１７の退避途中に先端面１７ｂで受け取った球２３が不測の入球となってしまうのを一層確実に防止することができると共に、その球２３を左右に均等に振り分け流下させることができる。もちろん、先端面１７ｂの左右の下がり傾斜の比率（傾斜角度や傾斜面積。）を変更することにより、左右への振り分け率を変更することができる。また、頂部１７ｃを前後方向に傾斜させれば、下ベロ部材１７の進出時に頂部１７ｃと前板２０との間に球２３を挟み込むことによる球詰まりも有効に防止することができる。
【００５３】
ソレノイド１８は、下ベロ部材１７を前後方向（±Ｚ方向）に進退移動させるための駆動手段である。ソレノイド１８は、下ベロ部材１７に連結されてその後方に配置され、収納部１９内に保持されている。その収納部１９は、ベースプレート１１の後方に取り付けられた収容部材であり、ソレノイド１８の他、ソレノイド１８と下ベロ部材１７とを連結する連結機構（不図示）等を内部に保持している。収納部１９内には、第２始動口１６から流入した球２３を検出する球通過センサも保持され、その球２３をパチンコ機２内の入賞球通路へと導く球経路（不図示）が形成されている。
【００５４】
前板２０は、ベースプレート１１の前方に配置されて、球２３が第２始動口１６へ流入するのを補助するプレート部材である。前板２０は、補助経路を構成する側壁２０ａを有して構成され、第２始動入賞具１３の上方から流下して来た球２３を、進出状態の下ベロ部材１７の受け面１７ａへと導く機能を有している。
【００５５】
前面ガラス１０は、遊技盤６に対して一定距離以上離間して配置された透明板である。前面ガラス１０は透明平板ガラスで形成されて装飾枠１２の裏面側に保持され、遊技盤６との間に球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００５６】
装飾枠１２は、主として遊技盤６の前方を囲む枠部材であり、機枠９の前方にヒンジ部２２によって前方開閉可能に揺動支持されている。装飾枠１２は、開口形成された開口部分に前面ガラス１０を保持し、その前面ガラス１０を通して遊技盤６を遊技者にとって視認可能としている。開口の周囲には、パチンコ機２を装飾し、遊技を演出するための装飾部材３２が配置されている。
【００５７】
発射ユニットは、球供給装置（不図示）によって貯留皿１４の一部としての上皿１４ａから発射位置に送り出された球２３を遊技領域６ｂの上部に向けて発射（弾球）するためのものである。発射ユニットは、例えば発射位置の球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００５８】
貯留皿１４は、遊技者の持ち球を貯留するためにパチンコ機２の前面に配置された皿部材であって、本実施の形態においては上皿１４ａと下皿１４ｂとを有している。上皿１４ａの近傍に配置された球排出ボタン１４ｃを操作すると、上皿１４ａ内に貯留された球２３が下皿１４ｂへと排出されるようになっている。
【００５９】
次に、このパチンコ機２における遊技方法について簡単に説明する。なお、このパチンコ機２においては、遊技領域６ｂが主に遊技盤面６ａの左側及び下方部分に配置されており、第１始動口２９、第２始動口１６及び通過ゲート３３のいずれもが左側の遊技領域６ｂに配置されている。また、遊技開始時においては、下ベロ部材１８は退避状態にあり、第２始動口１６は閉鎖状態となっている。
【００６０】
＜図柄変動遊技＞
遊技者が、発射ハンドル１５を操作すると、球発射が行われ、球２３が発射レール（不図示）及びレール飾り２６の内側面２６ａに沿って発射されて遊技領域６ｂの上部へと至る。図柄変動遊技においては、遊技者は第１始動口２９への入賞を狙って左打ち（遊技領域６ｂの左側部分への球発射）を行う。発射された球２３は内側面２６ａから落下を開始し、遊技領域６ｂを流下する。遊技領域６ｂを流下した球２３は、例えば普通入賞口２８に入賞したり、第１始動口２９に入賞したりする。
【００６１】
第１始動口２９へと球２３が流入すると、第１抽選手段による第１抽選（第１の遊技の抽選）が実行され、図柄表示装置７ａが表示図柄７ｃの回転表示（第１の遊技の抽選。）を開始する。そして、第１抽選の結果が当たりとなり、所定の大当たり態様（例えば、「７・７・７」。）で表示図柄７ｃが停止表示されると、図柄変動大当たり発生となり、第１大入賞口３１が開放する。そして、多量の球２３が第１大入賞口３１へと流入し、多量の景品球が払い出される。
【００６２】
第１大入賞口３１の開閉動作が所定回数繰り返して行われ、その後に図柄変動大当りが終了する。図柄変動大当たりの表示図柄７ｃの停止態様は、例えば「２・２・２」、「６・６・６」「７・７・７」等のように複数の態様を有している。そのうちの一部の態様（例えば、「７・７・７」。）での図柄変動大当たり遊技が終了すると、その後に役物遊技が開始される。
【００６３】
＜役物遊技＞
役物遊技が開始されると、遊技者は通過ゲート３３への球２３の通過を狙い、図柄変動遊技の場合と同様に左打ちを行う。球２３が通過ゲート３３を通過すると、それに起因して第２抽選手段による第２抽選が行われる。その抽選結果が当たりの場合に、第２始動口１６における下ベロ部材１７が進退移動し、一定時間（例えば、１秒以下の短時間。）の第２始動口１６の開放状態を発生させる。
【００６４】
その下ベロ部材１７の進出状態において、球２３が下ベロ部材１７の受け面１７ａに受け止められて第２始動口１６に入賞した場合には、役物大当たり遊技発生となり、第２大入賞口８ａが所定時間開放する。後続して遊技領域６ｂを流下する球２３が第２大入賞口８ａに流入し、センター役物７内に配置されたＶ入賞口３５に入賞すれば、役物大当たり遊技継続となって第１大入賞口３１が開放する。そして、多量の球２３が第１大入賞口３１へと流入し、多量の景品球が払い出されつつ役物大当たり遊技を継続して楽しむことができる。
【００６５】
なお、第１始動口２９、第２始動口１６及び通過ゲート３３がいずれも遊技盤面６ａの左側に配置される遊技領域６ｂに位置するため、図柄変動遊技中に通過ゲート３３に球２３が通過してしまう場合がある。そして、第２抽選手段による抽選結果が当たりになると、第２始動口１６における下ベロ部材１７が進退移動することとなる。
【００６６】
しかしながら、下ベロ部材１７の進退移動が、直線的な前後移動であってその退避移動の途中に球２３が受け面１７ａに載ったとしても、その球２３を第２始動口１６へと押し込むような外力を作用させない。したがって、退避移動の途中に受け面１７ａに載った球２３をそのまま遊技領域６ｂに残して流下させることができるので、いわゆる「不測の入球」を防止することができる。
【００６７】
また、退避時において受け面１７ａと上縁１６ａとによって確実に入球阻止することができることに加え、先端面１７ｂが左右方向に下がり傾斜となっているので、これらによっても「不測の入球」を一層確実に防止することができる。その結果、第２始動口１６への入球確率を設計通りとすることができ、図柄変動遊技中における第２始動口１６への入球確率を、極めて低確率に設定することも可能となる。
【００６８】
以上、本発明の好ましい実施の形態を説明したが、本発明はこれらに限定されるものではなく、その要旨の範囲内で様々な変形や変更が可能である。
【００６９】
［変形例１］
図５は、本発明の変形例１に係る第２始動入賞具５３の側方断面模式図であって、（ａ）は下ベロ部材５７の進出状態を示し、（ｂ）は下ベロ部材５７の退避状態を示す。この第２始動入賞具５３においては、退避状態における下ベロ部材５７が、第２始動口５６の略中央部に位置している。そして、ソレノイド５８が下ベロ部材５７を斜め下前方に移動させることにより、下ベロ部材５７が進出状態となるようになっている。すなわち、下ベロ部材５７が上下移動と前後移動とを含んで進退移動している。
【００７０】
その退避状態においては、第２始動口５６の上縁５６ａと下ベロ部材５７との距離Ｌ１も第２始動口５６の下縁（開口縁）５６ｂと下ベロ部材５７との距離Ｌ２も球２３の直径寸法Ｄより小さく設定され、球２３の第２始動口５６への流入が阻止されている。そして、下ベロ部材５７の進出状態においては、上縁５６ａと下ベロ部材５７との距離Ｌ１が直径寸法Ｄよりも大きく設定され、球２３の第２始動口５６への流入が可能とされている。
【００７１】
下ベロ部材５７の進退移動が、前後移動だけでなく上下移動をも含むので、例えば、その前方に配置される前板を透明材料で形成すれば、前方から目視する遊技者にとって下ベロ部材５７の進退移動が把握し易くなる。したがって、斬新な進退移動によって遊技者に興趣を与えることができる上に、進退移動を目視することにより遊技者が安心感を得ることができる。
【００７２】
なお、図６に示すように、下ベロ部材５７とソレノイド５８とをガイド部材５２，５４を用いて連結することにより、斜め上後方〜斜め下前方の進退移動を実現してもよい。
【００７３】
［変形例２］
図７は、本発明の変形例２に係る第２始動入賞具６３の側方断面模式図であって、（ａ）は下ベロ部材６７の進出状態を示し、（ｂ）は下ベロ部材６７の退避状態を示す。この第２始動入賞具６３においては、進退移動方向は上記の実施の形態と同様であるが、下ベロ部材６７の前方部分６７ｂと後方部分６７ｃとが、回転可能に連結されている。そして、第２始動口６６の下縁６６ｂ近傍に突部６２が配置され、その突部６２が前方部分６７ｂの下面を支持するようになっている。
【００７４】
下ベロ部材６７の退避状態においては、前方部分６７ｂの先端部近傍が突部６２によって支持され、前方部分６７ｂの傾斜は相対的に緩くなる。しかし、下ベロ部材６７の進出状態においては、前方部分６７ｂの根元部分近傍（すなわち、後方部分６７ｃとの連結部近傍。）が突部６２によって支持され、前方部分６７ｂの傾斜が相対的に急になる。そのため、下ベロ部材６７の進出状態において受け面６７ａに受け止められた球２３が、一層スムーズかつ速やかに第２始動口６６へと流入するようになっている。
【００７５】
この第２始動入賞具６３においても、進出状態における下ベロ部材６７と上縁６６ａとの距離Ｌは球２３の直径寸法Ｄより大きく設定され、退避状態における下ベロ部材６７と上縁６６ａとの距離Ｌは球２３の直径寸法Ｄより小さく設定されている。なお、この際に、下ベロ部材６７の先端部近傍に上方に向けてＬ字状に立設された屈曲部６７ｄが形成されていれば、退避時の流入防止機能を一層確実に発揮することができる。
【００７６】
［変形例３］
図８は、本発明の変形例３に係る第２始動入賞具７３の側方断面模式図であって、（ａ）は下ベロ部材７７の進出状態を示し、（ｂ）は下ベロ部材７７の退避状態を示す。この第２始動入賞具７３においては、下ベロ部材７７の下面７７ｂに凸部７２が設けられ、第２始動口７６の下縁７６ｂ側の面に凹部７４が形成されている。そして、下ベロ部材７７の進出状態では、凸部７２が凹部７４に嵌合し、下ベロ部材７７が下方に下がって球２３が第２始動口７６から流入可能とされる。そして、下ベロ部材７７が後方に退避すると、凸部７２が下縁７６ｂ側の面に乗り上げるように凹部７４から外れ、伴って下ベロ部材７７が上方に移動し、その結果、球２３の第２始動口７６への流入が阻止されるようになっている。
【符号の説明】
【００７７】
Ｄ：直径寸法
Ｈ：縦寸法
Ｌ，Ｌ１，Ｌ２：距離
Ｗ：横寸法
Ｚ：矢印
２：パチンコ機（遊技機）
３：枠体
４：筐体枠（枠体の一部）
５：遊技盤ユニット
６：遊技盤
６ａ：遊技盤面（表面）
６ｂ：遊技領域
７：センター役物
７ａ：図柄表示装置
７ｂ：表示画面（映像表示面）
７ｃ：表示図柄
８：センター飾り
８ａ：第２大入賞口
８ｂ：球通路
９：機枠（枠体の一部）
１０：前面ガラス（前面透明板）
１１：ベースプレート
１２：装飾枠（前面枠）
１３，５３，６３，７３：第２始動入賞具（遊技機用の入球具）
１４：貯留皿
１４ａ：上皿
１４ｂ：下皿
１４ｃ：球排出ボタン
１５：発射ハンドル
１６，５６，６６，７６：第２始動口（流入開口）
１６ａ，５６ａ，６６ａ：上縁（開口縁）
５６ｂ，６６ｂ，７６ｂ：下縁（開口縁）
１７，５７，６７，７７：下ベロ部材（受け面部材）
１７ａ，６７ａ：受け面
１７ｂ：先端面
１７ｃ：頂部
１８，５８，６８：ソレノイド（駆動手段）
１９：収納部
２０：前板
２０ａ：側壁
２２：ヒンジ部
２３：球（パチンコ球）
２６：レール飾り
２６ａ：内側面（内周面）
２７：ゲージ（障害釘）
２８：普通入賞口
２９：第１始動口
３０：アウト口
３１：第１大入賞口
３２：装飾部材
３３：通過ゲート（通過領域）
３４：風車
３５：Ｖ入賞口
５２，５４：ガイド部材
６２：突部
６７ｂ：前方部分
６７ｃ：後方部分
６７ｄ：屈曲部
７２：凸部
７４：凹部
７７ｂ：下面
【図１】
2011104410.tif 000003
【図２】
2011104410.tif 000004
【図３】
2011104410.tif 000005
【図４】
2011104410.tif 000006
【図５】
2011104410.tif 000007
【図６】
2011104410.tif 000008
【図７】
2011104410.tif 000009
【図８】
2011104410.tif 000010